(57)【要約】【課題】  本発明は、電気メスにより、患部などについて層状に生体組織を切り取る際に、電極部材の先端縁を生体組織内へ適切に食い込ませて操作しながら、層状に切り取った生体組織片を外方へ円滑に分離し案内できるようにして、生体組織の層状切除の簡易化を図れるようにした生体組織切削剥離用電極部材を提供することを課題とする。【解決手段】  高周波電源にケーブルを介し接続されたプローブ付きソケットに挿入される金属製棒状端子６の先端部に、左右に張り出した金属製の先端部材８が接続され、同先端部材８の先端縁８ａを露出させるようにして偏平な絶縁部７が設けられる。【選択図】        図１
2005328917.tif 000002
【特許請求の範囲】
【請求項１】
高周波電源にケーブルを介して接続されたプローブ付きソケットに挿入される金属製棒状端子と、同棒状端子の先端部に接続され同棒状端子の軸方向に対し左右に張り出した金属製の先端部材と、同先端部材の左右方向に沿う先端縁のみを露出させるようにして同先端部材から上記棒状端子にかけて一体に被覆した偏平な絶縁部とを備え、同絶縁部が、上記先端部材の上面を覆いながら同先端部材の先端縁へ向かって下降するように傾斜した上側傾斜案内面と、上記先端部材の下面を覆いながら同先端部材の先端縁へ向かって上昇するように傾斜した下側傾斜案内面とを備えて形成されていることを特徴とする、生体組織切削剥離用電極部材。
【請求項２】
上記上側傾斜案内面が、上記下側傾斜案内面よりも緩やかな傾斜を有していることを特徴とする、請求項１に記載の生体組織切削剥離用電極部材。
【請求項３】
上記先端部材の先端縁の平面形状が、前方へ緩やかに凸弯曲した弧状に形成されていることを特徴とする、請求項１または２に記載の生体組織切削剥離用電極部材。
【請求項４】
上記金属製の先端部材が板状に形成されて、同先端部材の露出した上記先端縁が刃状に尖鋭に形成されていることを特徴とする、請求項１〜３のいずれか１つに記載の生体組織切削剥離用電極部材。
【請求項５】
上記先端部材が金属細線からなる枠状体として形成されて、同枠状体の露出した上記先端縁が微小の円弧状断面を有していることを特徴とする、請求項１〜３のいずれか１つに記載の生体組織切削剥離用電極部材。
【発明の詳細な説明】
【技術分野】
【０００１】
本発明は、電気メスとして用いられる電極部材に関し、特に生体組織の表層部を切削しながら層状に剥離させるのに適した電極部材に関する。
【背景技術】
【０００２】
一般に、電気メスの使用に際しては、図８に示すように、高周波電源部１の一方の電極に接続された対極板２が生体Ａの患部ａと反対側の面にあてがわれるとともに、高周波電源部１の他方の電極に接続されたプローブ３付きソケット４に電極部材５が挿し込まれた状態で、プローブ３を把持しながら電極部材５の先端部を操作することにより、患部ａの切除等が行われるようになっている。
そして、電極部材５としては、尖端を有する棒状のものや、支持アームに線状の電極を張設したものなどが使用されているが、患部ａを層状に切削して剥ぎ取るような場合には、操作に熟練を要するという不具合がある。
【特許文献１】実公昭３３−７９５号公報
【発明の開示】
【発明が解決しようとする課題】
【０００３】
本発明は、電気メスにより、患部などについて層状に生体組織を切り取る際に、電極部材の先端縁を生体組織内へ適切に食い込ませて操作しながら、層状に切り取った生体組織片を外方へ円滑に分離し案内できるようにして、生体組織の層状切除の簡易化を図れるようにした生体組織切削剥離用電極部材を提供することを課題とする。
【課題を解決するための手段】
【０００４】
前述の課題を解決するため、本発明の生体組織切削剥離用電極部材は、高周波電源にケーブルを介して接続されたプローブ付きソケットに挿入される金属製棒状端子と、同棒状端子の先端部に接続され同棒状端子の軸方向に対し左右に張り出した金属製の先端部材と、同先端部材の左右方向に沿う先端縁のみを露出させるようにして同先端部材から上記棒状端子にかけて一体に被覆した偏平な絶縁部とを備え、同絶縁部が、上記先端部材の上面を覆いながら同先端部材の先端縁へ向かって下降するように傾斜した上側傾斜案内面と、上記先端部材の下面を覆いながら同先端部材の先端縁へ向かって上昇するように傾斜した下側傾斜案内面とを備えて形成されていることを特徴としている。
【０００５】
また、本発明の生体組織切削剥離用電極部材は、上記上側傾斜案内面が、上記下側傾斜案内面よりも緩やかな傾斜を有していることを特徴としている。
【０００６】
さらに、本発明の生体組織切削剥離用電極部材は、上記先端部材の先端縁の平面形状が、前方へ緩やかに凸弯曲した弧状に形成されていることを特徴としている。
【０００７】
また、本発明の生体組織切削剥離用電極部材は、上記金属製の先端部材が板状に形成されて、同先端部材の露出した上記先端縁が刃状に尖鋭に形成されていることを特徴としている。
【０００８】
さらに、本発明の生体組織切削剥離用電極部材は、上記先端部材が金属細線からなる枠状体として形成されて、同枠状体の露出した上記先端縁が微小の円弧状断面を有していることを特徴としている。
【発明の効果】
【０００９】
上述の本発明の生体組織切削剥離用電極部材では、高周波電源に接続されたプローブ付きソケットに挿入される金属製棒状端子が、同端子の先端部に接続され左右に張り出した金属製の先端部材を備えるとともに、同先端部材の左右方向に沿う先端縁のみを露出させるようにして同先端部材から上記棒状端子にかけて一体に被覆した偏平な絶縁部を備えているので、使用時には高温となる上記先端部材の露出した先端縁で患部の生体組織を層状に焼き切る作用が能率よく行われるようになる。
【００１０】
その際、上記絶縁部は、上記先端部材の先端縁へ向かって上昇するように傾斜した下側傾斜案内面を備えているので、同下側傾斜案内面を患部に所要の押圧力で押し付けながらプローブを前進させると、上記先端縁は上記押圧力に対応した厚さで生体組織の切り取り作用を行うようになる。
このように切り取られる層状の生体組織は、上記先端部材の先端縁へ向かって下降するように傾斜した上記絶縁部の上側傾斜案内面に沿い案内されるので、生体組織の層状切り取り操作が著しく円滑に行われるようになる。
【００１１】
また、上記上側傾斜案内面が、上記下側傾斜案内面よりも緩やかな傾斜を有していると、上記下側傾斜案内面と前記先端部材における高温の先端縁との協働作用で層状に切削された生体組織は、上記の緩やかな上側傾斜案内面によって、さらに適切に案内されるようになる。
【００１２】
そして、露出した上記先端縁の平面形状が、前方へ緩やかに凸弯曲した弧状に形成されることにより、患部への上記先端縁の進入が、同先端縁の中央部分から左右へ及ぶようにして円滑に且つ適切に行われるようになる。
【００１３】
さらに、上記金属製の先端部材が板状に形成されて、同先端部材の左右方向に沿い露出した上記先端縁が刃状に尖鋭に形成されていると、上記の偏平な絶縁部における上側傾斜案内面および下側傾斜案内面との協働作用により生体組織の切削剥離が一層的確に行われるようになる。
【００１４】
また、上記先端部材が金属細線からなる枠状体として形成されていると、その電極部材としての使用時における総発熱量を抑制しながら、上記枠状体の左右方向に沿う露出した上記先端縁は、十分に加熱された状態で生体組織の切削剥離操作を効率よく行うことが可能となり、しかも上記先端部材を形成する金属の使用量の減少により電極部材全体として軽量化されるようになって、手術中の取り扱いが容易になる利点も得られる。
【００１５】
そして、上記金属細線からなる枠状体としての先端部材の絶縁部から露出した先端縁が微小の円弧状断面を有することにより、その使用時には十分な止血作用を伴いながら安全に生体組織切削剥離の手術を行うことが可能になる。
【発明を実施するための最良の形態】
【００１６】
高周波電源の出力電圧は最大で３５０Ｖとされ、その周波数は６ＭＨｚ程度とされる。そして金属製棒状端子や金属製先端部材の材質としては、ステンレス鋼などが採用され、また上記先端部材の先端縁のみを露出させるようにしながら、同先端部材と上記端子とを一体に被覆する偏平な絶縁部の材質としては、フッ素樹脂などが採用される。
【実施例１】
【００１７】
図１は本発明の実施例１としての生体組織切削剥離用電極部材の平面図、図２は図１の電極部材の一部を縦断面で示す側面図、図３は図１，２の生体組織切削剥離用電極部材の使用状態を示す側面図である。
【００１８】
図１，２に示すように、この電極部材５では、ステンレス鋼などで作られた金属製棒状端子６の先端部に、金属製の板状の先端部材８が接続されており、同先端部材８は棒状端子６の軸方向に対し左右に張り出すように形成されている。
【００１９】
そして、先端部材８から棒状端子６にかけて一体に被覆した偏平な絶縁部７が設けられているが、先端部材８の左右方向に沿う先端縁８ａのみ、その金属面を露出するように構成されている。
なお、棒状端子６や先端部材８の材質としてはステンレス鋼などが用いられ、絶縁部７の材質としては高温に耐えるフッ素樹脂などが用いられる。
【００２０】
先端部材８の露出した先端縁８ａは刃状に尖鋭に形成され、また偏平な絶縁部７の平面形状は生体組織の表面に安定よく着座できように両側方へそれぞれ張り出したアゴ部７ａを備えている。
【００２１】
さらに、絶縁部７は、先端部材８の上面を覆いながら同先端部材８の先端縁８ａへ向かって下降するように傾斜した上側傾斜案内面７Ｕと、先端部材８の下面を覆いながら同先端部材８の先端縁８ａへ向かって上昇するように傾斜した下側傾斜案内面７Ｌとを備えて形成されている。
【００２２】
上述の本実施例の生体組織切削剥離用電極部材５では、図３に示すごとく高周波電源に接続されたプローブ３付きソケット４に挿入される金属製棒状端子６が、同端子６の先端部に接続され図１に示すように左右に張り出した金属製の先端部材８を備えるとともに、同先端部材８の左右方向に沿う先端縁８ａのみを露出させるようにして同先端部材８から棒状端子６にかけて一体に被覆した偏平な絶縁部７を備えているので、使用時には高温となる先端部材８の露出した先端縁８ａで図３に示すように患部ａの生体組織を層状に焼き切る作用が能率よく行われるようになる。
【００２３】
その際、絶縁部７は、図２に示すごとく先端部材８の先端縁８ａへ向かって上昇するように傾斜した下側傾斜案内面７Ｌを備えているので、同下側傾斜案内面７Ｌを患部ａに所要の押圧力で押し付けながらプローブ３を前進させると、先端縁８ａは押圧力に対応した厚さで生体組織の切り取り作用を行うようになる。
このように切り取られる層状の生体組織は、先端部材８の先端縁８ａへ向かって下降するように傾斜した絶縁部７の上側傾斜案内面７Ｕに沿い案内されるので、生体組織の層状切り取り操作が著しく円滑に行われるようになる。
【００２４】
また、上側傾斜案内面７Ｕが、下側傾斜案内面７Ｌよりも緩やかな傾斜を有しているので、下側傾斜案内面７Ｌと先端部材８における高温の先端縁８ａとの協働作用で層状に切削された生体組織は、緩やかな傾斜の上側傾斜案内面７Ｕによって、さらに適切に案内されるようになる。
【００２５】
そして、露出した先端縁８ａの平面形状が、図１に示すごとく前方へ緩やかに凸弯曲した弧状に形成されることにより、患部ａへの先端縁８ａの進入が、同先端縁８ａの中央部分から左右へ及ぶようにして円滑に且つ適切に行われるようになる。
【００２６】
さらに、金属製の先端部材８が板状に形成されて、同先端部材８の左右方向に沿い露出した先端縁８ａが刃状に尖鋭に形成されているので、偏平な絶縁部７における上側傾斜案内面７Ｕおよび下側傾斜案内面７Ｌとの協働作用により生体組織の切削剥離が一層的確に行われるようになる。
【実施例２】
【００２７】
図４は実施例２としての生体組織切削剥離用電極部材を示す平面図、図５は図４の電極部材の側面図、図６は図５の要部の縦断面図である。
【００２８】
この実施例２の場合も、電極部材５において、ステンレス鋼製の棒状端子６の先端部に、ステンレス鋼製の先端部材８が接続されているが、同先端部材８は金属細線からなる枠状体として形成されて、同先端部材８の半円弧状前縁部の左右方向に沿う先端縁８ａのみが露出するように、先端部材８から棒状端子６にかけて、これらを覆うためのフッ素樹脂などからなる偏平な絶縁部７が設けられており、露出した先端縁８ａの断面形状は微小の半円弧状を呈している。
【００２９】
そして、この偏平な絶縁部７は、先端部材８の上面を覆いながら同先端部材８の先端縁８ａへ向かって下降するように傾斜した上側傾斜案内面７Ｕと、先端部材８の下面を覆いながら同先端部材８の先端縁８ａへ向かって上昇するように傾斜した下側傾斜案内面７Ｌとを備えている。
【００３０】
上述の実施例２の生体組織切削剥離用電極部材の場合も、前述の実施例１の生体組織切削剥離用電極部材と同様の作用効果が得られるほか、先端部材８が金属細線からなる枠状体として形成されているので、その電極部材としての使用時における総発熱量を抑制しながら、上記枠状体の左右方向に沿う露出した先端縁８ａは、十分に加熱された状態で生体組織の切削剥離操作を効率よく行うことが可能となり、しかも先端部材８を形成する金属の使用量の減少により電極部材全体として軽量化されるようになって、手術中の取り扱いが容易になる利点も得られる。
【００３１】
そして、上記金属細線からなる枠状体としての先端部材８の絶縁部７から露出した先端縁８ａが微小の円弧状断面を有することにより、その使用時には十分な止血作用を伴いながら安全に生体組織切削剥離の手術を行うことが可能になる。
【００３２】
図７は図４に対応させて実施例２の変形例を示しており、この変形例では、先端部材８の絶縁部７から露出した前縁８ａが平面視で緩やかな円弧状を呈している点で図４に示すものと相違している。そして、手術の用途に応じ微妙に使い勝手が異なる特徴を有しているが、全体としては図４に示すものとほぼ同様の作用効果が得られるものである。
【産業上の利用可能性】
【００３３】
水分を含む素材について、切削加工を行う場合に、本発明の電極部材における露出した先端縁８ａの形状を適宜変更することによって、現場の要請に応えることも可能である。
【図面の簡単な説明】
【００３４】
【図１】本発明の実施例１としての生体組織切削剥離用電極部材を示す平面図である。
【図２】図１の電極部材の一部を縦断面で示す側面図である。
【図３】図１，２の電極部材の使用状態を示す側面図である。
【図４】本発明の実施例２としての生体組織切削剥離用電極部材を示す平面図である。
【図５】図４の電極部材の側面図である。
【図６】図５の要部を拡大して示す縦断面図である。
【図７】上記実施例２の生体組織切削剥離用電極部材の変形例を、図４に対応させて示す平面図である。
【図８】対極板方式による一般的な電気メスの概略構成を示す説明図である。
【符号の説明】
【００３５】
１  高周波電源部
２  対極板
３  プローブ
４  ソケット
５  電極部材
６  金属製棒状端子
７  絶縁部
７ａ  アゴ部
７Ｕ  上側傾斜案内面
７Ｌ  下側傾斜案内面
８  金属製先端部材
８ａ  先端縁
Ａ  生体
ａ  患部
【図１】
2005328917.tif 000003
【図２】
2005328917.tif 000004
【図３】
2005328917.tif 000005
【図４】
2005328917.tif 000006
【図５】
2005328917.tif 000007
【図６】
2005328917.tif 000008
【図７】
2005328917.tif 000009
【図８】
2005328917.tif 000010